(57)【要約】【課題】タイヤの振動がカーカス層を介して伝播することに起因するロードノイズを低減することができる空気入りタイヤを提供する。【解決手段】ビードコア２の廻りにタイヤ内側から外側に巻き上げた一層以上のカーカス層４を有する空気入りタイヤにおいて、前記ビードコア２と該ビードコア２に隣接する前記カーカス層４との間に、ＪＩＳ−Ａ硬度が５０〜７０である低弾性率ゴムシート１０を配置して構成する。【選択図】　図１
2004123020.tif 000002
【特許請求の範囲】
【請求項１】
ビードコアの廻りにタイヤ内側から外側に巻き上げた一層以上のカーカス層を有する空気入りタイヤにおいて、前記ビードコアと該ビードコアに隣接する前記カーカス層との間に、ＪＩＳ−Ａ硬度が５０〜７０である低弾性率ゴムシートを配置した空気入りタイヤ。
【請求項２】
前記カーカス層の巻き上げ端をビードフィラーの径方向外端よりも低くした請求項１記載の空気入りタイヤ。
【請求項３】
一層以上のカーカス層の端部をビードコアの廻りにタイヤ内側から外側に巻き上げた空気入りタイヤの製造方法において、前記ビードコアと該ビードコアに隣接する前記カーカス層との間に、ＪＩＳ−Ａ硬度が５０〜７０である加硫済みの低弾性率ゴムシートを配置した未加硫タイヤを成形し、該未加硫タイヤを加硫成形する空気入りタイヤの製造方法。
【発明の詳細な説明】
【０００１】
【発明の属する技術分野】
本発明は、空気入りタイヤ及びその製造方法に関し、更に詳しくは、路面の凹凸に起因するタイヤから車両へ伝播する振動を抑制することにより、ロードノイズを低減することができる空気入りタイヤ及びその製造方法に関するものである。
【０００２】
【従来の技術】
近年、乗用車の静粛性向上が非常に重要視され、タイヤ開発における騒音低減要求が厳しくなっている。特に、路面の凹凸に起因するロードノイズの低減が望まれている。
【０００３】
このロードノイズは、路面の凹凸によって発生したタイヤの振動がタイヤから車軸を経て車室内へ伝播することによって生じる共鳴音であるので、この振動伝播を抑制することにより低減できることが分かっている。そのため、カーカス層の巻き上げ高さ（ターンアップ高さ）をビードフィラーの高さよりも低くしたローターンアップ構造が従来から採用され、カーカス層を介して伝播する振動を抑制する効果を奏している。
【０００４】
また、一方で、ビードコア廻りのカーカスコードの摩滅を防止すると共にカーカス層巻き上げ端末におけるセパレーションの発生を抑制してビード部の耐久性を向上させるために、ビードコアとこのビードコアに隣接するカーカス層との間に、かつ、タイヤ内側のカーカス層とビードフィラーとの間に、ＪＩＳ−Ａ硬度で８０以上、好ましくは８５〜９８のゴム層、少なくともビードフィラーよりも硬いゴム層を連続的に介在させた空気入りタイヤがある（例えば、特許文献１参照。）。
【０００５】
【特許文献１】
特開平３−５４００７号公報
【０００６】
【発明が解決しようとする課題】
しかしながら、上記の構造では、ビード部の耐久性を向上させることはできるが、ロードノイズの低減を図ることができないという問題があった。
【０００７】
本発明の目的は、タイヤの振動がカーカス層を介して伝播することに起因するロードノイズを低減することができる空気入りタイヤを提供することにある。
【０００８】
【課題を解決するための手段】
上記目的を達成するための本発明の空気入りタイヤは、ビードコアの廻りにタイヤ内側から外側に巻き上げた一層以上のカーカス層を有する空気入りタイヤにおいて、前記ビードコアと該ビードコアに隣接する前記カーカス層との間に、ＪＩＳ−Ａ硬度が５０〜７０である低弾性率ゴムシートを配置して構成される。
【０００９】
本発明によれば、ビードコアとこのビードコアに隣接するカーカス層との間に設けた低弾性率ゴムシートが振動を吸収するので、路面の凹凸に起因する振動の車両への伝播が抑制され、ロードノイズが低減する。
【００１０】
そして、前記空気入りタイヤが、前記カーカス層の巻き上げ端がビードフィラーよりも低く形成された空気入りタイヤであると、カーカス層が伝播する振動が更に少なくなるので、ロードノイズ低減効果が大きくなる。
【００１１】
そして、本発明の空気入りタイヤの製造に際しては、低弾性率ゴムシートを、加硫済みの状態で挿入した未加硫タイヤを成形して加硫成形することが好ましく、これにより、タイヤ加硫時における低弾性率ゴムシートの流動変形を抑えられるので、加硫後も振動吸収に必要な所定厚さが維持され、所望のロードノイズ低減効果を奏するタイヤが得られることになる。
【００１２】
【発明の実施の形態】
以下、本発明に係る実施の形態の空気入りタイヤについて、図面を参照しながら説明するが、本発明の空気入りタイヤは、ビード部に特徴があるので、この部分について説明する。
【００１３】
第１の実施の形態の空気入りタイヤは、図１に示すように、ビード部１では、カーカス層４の端部がビードコア２の廻りにタイヤ内側から外側に折り返され、このビードコア２のトレッド側に隣接して配置されたビードフィラー３に沿って巻き上げられている。そして、このビード部１でリム６に組み付けられる。
【００１４】
カーカス層４は、ポリエステル、ナイロン、レーヨン等のカーカスコードを、ラジアルタイヤの場合にはタイヤ赤道に対して９０°に配列したラジアル構造で形成される。カーカス層は２層以上に設けてもよく、２プライのカーカス層の場合にはタイヤ赤道に対し６０°〜９０°、好ましくは７５°〜９０°の角度に配置してラジアルやセミラジアル構造に形成される。
【００１５】
ビードコア２とこのビードコア２に隣接するカーカス層４との間には、ＪＩＳ−Ａ硬度が５０〜７０である低弾性率ゴムシート１０が配置されている。この低弾性率ゴムシート１０の厚さは１ｍｍ〜２ｍｍ程度が好ましく、これによりカーカス層４とビードコア２との間を確実に遮断する。
【００１６】
この低弾性率ゴムシート１０の組成は特に限定されないが、例えば、天然ゴム、スチレン−ブタジエン共重合体ゴム（ＳＢＲ）等のゴムにカーボンブラック等の配合剤を配合したゴム組成物を挙げることができる。
【００１７】
この構成により、トレッドが路面から拾い、カーカス層４に伝播した振動を低弾性率ゴムシート１０がビードコア２への伝播を抑えるため、リム６の振動が抑制され、車室内の共鳴音であるロードノイズをより効果的に低減することができる。
【００１８】
上述した本発明の空気入りタイヤの製造に際しては、未加硫タイヤを成形するとき、低弾性率ゴムシート１０として加硫済みのゴムシート状態にして挿入することが好ましい。この製造方法により、タイヤ加硫時における低弾性率ゴムシートの流動変形を抑えて厚さを保持できるので、上述した振動の遮断を効率よく行うことができる。
【００１９】
また、第２の実施の形態の空気入りタイヤは、図２に示すように、カーカス層４の巻き上げ端（ターンアップ）４ａがビードフィラー３よりも低く形成され、いわゆるローターンアップ構造で構成される。この構成以外は、第１の実施の形態と同じで、低弾性率ゴムシート１０も第１の実施の形態と同様に設けられる。
【００２０】
この構成によれば、カーカス層４の巻き上げ端４ａがカーカス層４の本体に接合していないため、ビードコア２への振動の伝達が抑制されるので、低弾性率ゴムシート１０の振動吸収との相乗効果により、ロードノイズを著しく低減できる。
【００２１】
〔実施例〕
図５と図６に示すような、従来例１と、ローターンアップ構造の従来例２に対して、図３と図４に示すように、低弾性率ゴムをそれぞれ設けた実施例１（第１の実施の形態に相当）と実施例２（第２の実施の形態に相当）の下記タイヤサイズからなる４種の空気入りタイヤを製作した。
【００２２】
これら４種類のタイヤについて、下記の評価条件で国産ＦＦ車で荒れた路面を走行しながら、走行中の車内中央の騒音（オーバーオール（Ｏ．Ａ．）値）を測定したところ、表１の結果を得た。
【００２３】
タイヤサイズ：１７５／６５Ｒ１４　８２Ｓ
評価条件：空気圧＝２２０ｋＰａ，リム＝１４ｘ５１／２ＪＪ
【００２４】
【表１】
2004123020.tif 000003
【００２５】
表１によれば、従来例１を基準とした実施例１では−０．４ｄＢ〔Ａ〕となり、従来例２を基準とした実施例２では−０．６ｄＢ〔Ａ〕となった。特に、ローターンアップ構造の従来例２では、従来例１に対して、−１．０のｄＢ〔Ａ〕のノイズ低減効果が得られ、ロードノイズの低減に大きな効果を奏することが分かった。
【００２６】
【発明の効果】
以上に説明したように、本発明の空気入りタイヤによれば、ビードコアとこのビードコアに隣接するカーカス層との間に、ＪＩＳ−Ａ硬度が５０〜７０である低弾性率ゴムシートを配置したので、走行路面の凹凸によって発生した振動がカーカス層を介して車体に伝播するのを抑制して、ロードノイズを低減することができる。
【図面の簡単な説明】
【図１】本発明の第１の実施の形態の空気入りタイヤの構造を示すビード部の断面図である。
【図２】本発明の第２の実施の形態の空気入りタイヤの構造を示すビード部の断面図である。
【図３】実施例１の空気入りタイヤの構造を模式的に示すビード部の断面図である。
【図４】実施例２の空気入りタイヤの構造を模式的に示すビード部の断面図である。
【図５】従来例１の空気入りタイヤの構造を模式的に示すビード部の断面図である。
【図６】従来例２の空気入りタイヤの構造を模式的に示すビード部の断面図である。
【符号の説明】
１　　ビード部
２　　ビードコア
３　　ビードフィラー
４　　カーカス層
６　　リム
１０　　低弾性率ゴムシート
【図１】
2004123020.tif 000004
【図２】
2004123020.tif 000005
【図３】
2004123020.tif 000006
【図４】
2004123020.tif 000007
【図５】
2004123020.tif 000008
【図６】
2004123020.tif 000009